(57)【要約】【課題】ブラック・シアン・マゼンタ・イエローのプロセス４色インキを用いたオフセット印刷において、各インキについての標準ベタ濃度を検討するために、各インキについての、Ｋ値とベタ濃度の関係が簡単に把握できるチャートの提供を目的とする。【解決手段】オフセット印刷に用いられる各インキ色ごとに設けられたベタと少なくとも一つの平網とを含む色濃度測定用パッチ領域と、全てのインキから構成され、印刷方向に積算した絵柄量が異なる複数の領域を含む絵柄領域と、を有するチャートを提供する。また、前記平網は７５％または８０％の平網とし、前記絵柄領域は、１インキキー単位で絵柄量を異ならせたチャートである。さらに、前記絵柄領域の各インキ色の絵柄面積率は、１５〜５０％で変化させたチャートを提供する。【選択図】図１
2006337133.tif 000002
【特許請求の範囲】
【請求項１】
オフセット印刷に用いられる各インキ色ごとに設けられたベタと少なくとも一つの平網とを含む色濃度測定用パッチ領域と、
全てのインキから構成され、印刷方向に積算した絵柄量が異なる複数の領域を含む絵柄領域と、
を少なくとも有することを特徴とするチャート。
【請求項２】
前記平網は７５％または８０％の平網であることを特徴とする請求項１記載のチャート。
【請求項３】
前記絵柄領域は、１インキキー単位で絵柄量が異なることを特徴とする請求項１または２に記載のチャート。
【請求項４】
前記絵柄領域の各インキ色の絵柄面積率は、１５〜５０％で変化させていることを特徴とする請求項１〜３の何れかに記載のチャート。
【請求項５】
請求項１〜４の何れかに記載のチャートにスラーゲージを設けたことを特徴とするチャート。
【発明の詳細な説明】
【技術分野】
【０００１】
本発明は、プロセスインキを用いたオフセット印刷において、各インキの標準ベタ濃度を検討するために、ベタ濃度と平網濃度の関係が、簡単に把握できるチャートに関する。
【背景技術】
【０００２】
オフセット印刷においては、ブラック・シアン・マゼンタ・イエローのプロセス４色インキを用いることが多く、印刷においてこれらのインキを管理するための最初の目標として、予め定めたベタ濃度を用いるか、あるいは、校正刷りの印刷スケールの濃度を用いることが行われてきた。（例えば、特許文献１を参照。）
【０００３】
前者においては、各インキについての標準ベタ濃度を検討するために、ベタ濃度と７５％の平網濃度、あるいはベタ濃度と８０％の平網濃度の組み合わせを複数採集し、そこから得られるＫ値と呼ばれる％コントラストとベタ濃度の関係を参照して、印刷標準ベタ濃度を検討することが多い。
Ｋ値の算出式は、以下の通りである。
Ｋ＝（（Ｄｓ−Ｄｔ）／Ｄｓ）×１００
Ｄｓ：ベタ濃度
Ｄｔ：７５％あるいは８０％の平網濃度
【０００４】
従来、Ｋ値とベタ濃度の関係を把握するためには、印刷中にインキの出し量を変化させて複数枚印刷し、印刷後に所望のサンプルを抜き出して測定するか、あるいは目標のベタ濃度を複数設定し、それらに合った印刷物を作成する方法がとられていた。
前者の場合、所望のサンプルを抜き出すためにたくさんの印刷物のベタ濃度を測定する必要がある。また後者の場合、目標ベタ濃度に合った印刷物を作成するために、たくさんの時間や印刷用紙が必要であり、Ｋ値を求めるのに手間隙がかかっていた。
【０００５】
【特許文献１】実公平５−３９８８９号公報（従来技術）
【発明の開示】
【発明が解決しようとする課題】
【０００６】
本発明が解決しようとする課題は、ブラック・シアン・マゼンタ・イエローのプロセス４色インキを用いたオフセット印刷において、各インキについての標準ベタ濃度を検討するために、ベタ濃度と７５％の平網濃度あるいはベタ濃度と８０％の平網濃度の組み合わせを複数採集し、そこから得られるＫ値と呼ばれる％コントラストとベタ濃度の関係を参照して、印刷標準ベタ濃度を検討する場合に、１枚の印刷物から、各インキについての、ベタ濃度と７５％の平網濃度あるいはベタ濃度と８０％の平網濃度の組み合わせを、複数パターン採集でき、Ｋ値とベタ濃度の関係が簡便に把握できるチャートを提供することである。
【課題を解決するための手段】
【０００７】
そこで、このような課題を解決するための本発明の一つは、オフセット印刷に用いられる各インキ色ごとに設けられたベタと少なくとも一つの平網とを含む色濃度測定用パッチ領域と、全てのインキから構成され、印刷方向に積算した絵柄量が異なる複数の領域を含む絵柄領域と、を少なくとも有するチャートである。
このように印刷方向に積算した絵柄量を異ならせることで、紙面におけるインキの消費量に変化をもたせることができ、その結果、絵柄量を異ならせた分だけの濃度変化を測定用パッチに持たせることが可能になる。
【０００８】
また、前記平網は、７５％または８０％の平網としたチャートである。
【０００９】
また、前記絵柄領域は、１インキキー単位で絵柄量が異なるチャートである。
【００１０】
また、前記絵柄領域の各インキ色の絵柄面積率は、１５〜５０％で変化させているチャートである。
１５％の下限を設けたのは、これ以下の絵柄面積率にすると、過乳化が発生し易くなり、正確な％コントラストの評価ができなくなるためであり、上限の５０％は、通常の印刷における絵柄面積率の積算の上限がこの程度であるため、通常の印刷条件におけるベタ濃度と平網濃度との関係を得ることができるためである。
【００１１】
また、スラーゲージを設けたチャートである。
スラーゲージを設けることで、このチャートがスラーやダブりがなく、適正に印刷されたものであるかどうかを判断できる。
【発明の効果】
【００１２】
本発明によれば、印刷標準ベタ濃度を検討する場合に、１枚の印刷物から、各インキについての、ベタ濃度と平網濃度の組み合わせを複数パターン採集でき、Ｋ値とベタ濃度の関係が簡単に把握できる。
【発明を実施するための最良の形態】
【００１３】
以下、本発明の実施形態について、図面を参照しながら説明する。
【００１４】
図１は、本発明の実施形態に係る印刷標準濃度検討用チャートの構成の一例を示す模式図である。
【００１５】
まず、色濃度測定用パッチ領域１００には、例えば、ブラックインキのベタ濃度と７５％の平網濃度あるいはベタ濃度と８０％の平網濃度の組み合わせとして、ブラック７５％パッチ１、ブラックベタパッチ３、ブラック８０％パッチ５から得ることができる。この３つのパッチの組み合わせは、印刷機の各インキキーに合わせて、左右に並べてある。
【００１６】
そして、他のシアン、マゼンタ、イエローについても、ブラックと同様の３種類のパッチを各インキキーに合わせて、左右に並べてある。
【００１７】
次に絵柄領域２００は、一例として絵柄パターン（ａ）２５と絵柄パターン（ｂ）２７から構成した。
【００１８】
絵柄パターン（ａ）２５は、ブラック５０％、シアン１５％、マゼンタ５０％、イエロー１５％の掛け合わせで、印刷機の各インキキーに合わせて、右から左へ面積率が徐々に低くなるように構成されている。この絵柄パターン（ａ）の役割は、ブラックとマゼンタのインキを消費することである。シアンとイエローは、インキの過乳化防止のため、０でなく１５％にしている。
【００１９】
印刷時には、印刷機のインキキー開度を一定にする。絵柄パターン（ａ）２５でインキが消費されることにより、紙面右側のブラックベタ濃度は低くなり、左側のブラックベタ濃度は高くなる。右端のブラックベタパッチ３と左側のブラックベタパッチ３を測定することにより、調査できるベタ濃度の範囲がわかる。最低ベタ濃度が低すぎる、あるいは最高ベタ濃度が高すぎる場合には、印刷機のインキ元ローラーの回転数か、インキキー全体の開閉により、調査できる範囲を調節することができる。
【００２０】
絵柄パターン（ｂ）２７は、ブラック１５％、シアン５０％、マゼンタ１５％、イエロー５０％の掛け合わせで、印刷機の各インキキーに合わせて、左から右へ面積率が徐々に低くなるように構成されている。この絵柄パターン（ｂ）の役割は、シアンとイエローのインキを消費することである。ブラックとマゼンタは、インキの過乳化防止のため、０でなく１５％にしている。
【００２１】
この各色の％や面積率の変化のさせ方は、調査したいベタ濃度の範囲によって、本発明を逸脱しない範囲で任意に設計すれば良い。
【実施例】
【００２２】
本実施例では、図１に示す構成のチャートを用いて、Ｋ値とベタ濃度の関係を調査した。
【００２３】
印刷を始める前に、各インキキーの開度設定値と実際の開度が揃っているか、調査した。
本実施例で使用した印刷機では上記関係が揃っていたが、揃っていない場合には、調整した方がベタ濃度範囲の調査範囲が正確に把握できるため、調査の精度が向上する。
【００２４】
各インキキーの開度を一定にして印刷したところ、右端のブラックベタパッチ３の濃度が、０．８であった。ベタ濃度１．０から２．０の範囲を調査する予定だったので、インキキー全体の開度を増やした。
【００２５】
上記操作により、右端のブラックベタパッチ３の濃度が１．０２になった。その印刷物の左端のブラックベタパッチ３の濃度は、１．７９であった。ベタ濃度１．０から２．０の範囲を調査する予定だったので、インキキー全体の開度を増やした。
【００２６】
上記操作により、左端のブラックベタパッチ３の濃度が２．０２になった。
同様のインキキー開度の調節をシアン・マゼンタ・イエローについても行った。
【００２７】
以上のテスト印刷から、たった２枚で、ブラック・シアン・マゼンタ・イエロー各色について、ベタ濃度１．０から２．０の範囲で、Ｋ値とベタ濃度の関係が把握できる印刷サンプルを得た。
【００２８】
本実施例では、Ｋ値の算出に７５％の平網濃度を用いることとし、上記２枚のサンプルの、ブラック７５％パッチ１・ブラックベタパッチ３、シアン７５％パッチ７・シアンベタパッチ９、マゼンタ７５％パッチ１３・マゼンタベタパッチ１５、イエロー７５％パッチ１９・イエローベタパッチ２１を濃度計で測定した。得られた濃度値からＫ値を算出し、各々のベタ濃度に対してプロットしたのが図２である。
【００２９】
図２を見ると、どのインキもベタ濃度の上昇と共にＫ値＝コントラスト値（％）が上昇し、ある点でピークを迎え、その後下降しているのがわかる。そのピーク時のおおよそのベタ濃度は、ブラック１．８、シアン１．８５、マゼンタ１．６５、イエロー１．５である。標準濃度を決めるには、Ｋ値とベタ濃度の関係以外にも検討する項目があるが、上記のベタ濃度以上にすると、印刷物のコントラストが下がるため、それ以下にするのが良いことがわかる。
【００３０】
本発明の印刷標準濃度検討用チャートにより、ブラック・シアン・マゼンタ・イエローのプロセス４色インキを用いたオフセット印刷において、１枚の印刷物から、各インキについての、ベタ濃度と７５％の平網濃度あるいはベタ濃度と８０％の平網濃度の組み合わせを、複数パターン採集でき、Ｋ値とベタ濃度の関係が簡単に把握できるようになった。
【産業上の利用可能性】
【００３１】
本発明は、プロセスインキを用いたオフセット印刷において、各インキの標準ベタ濃度の検討に用いることができる。
【図面の簡単な説明】
【００３２】
【図１】本発明の実施形態に係わるチャートの構成の一例を示す図である。
【図２】本発明の実施例におけるＫ値＝コントラスト値（％）とベタ濃度との関係を表すグラフである。
【符号の説明】
【００３３】
１・・・ブラック７５％パッチ
３・・・ブラックベタパッチ
５・・・ブラック８０％パッチ
７・・・シアン７５％パッチ
９・・・シアンベタパッチ
１１・・・シアン８０％パッチ
１３・・・マゼンタ７５％パッチ
１５・・・マゼンタベタパッチ
１７・・・マゼンタ８０％パッチ
１９・・・イエロー７５％パッチ
２１・・・イエローベタパッチ
２３・・・イエロー８０％パッチ
２５・・・絵柄パターン（ａ）
２７・・・絵柄パターン（ｂ）
２９・・・スラーゲージ
３１・・・コントロールストリップ
１００・・・色濃度測定用パッチ領域
２００・・・絵柄領域
【図１】
2006337133.tif 000003
【図２】
2006337133.tif 000004